(57)【要約】      （修正有）【課題】放射線治療装置において、治療用Ｘ線のアイソセンターと、位置決定用レーザー光による仮想アイソセンターと、診断用Ｘ線撮影装置から照射される診断用Ｘ線の中心位置との変位（ズレ）を測定するための測定方法、その変位を調整するための調整方法、並びにその測定方法及び調整方法に使用する変位測定用ファントムを提供する。【解決手段】測定方法は、放射線治療装置４のガントリー４１から変位測定用ファントム１０の内部に包埋されているＸ線吸収体に治療用Ｘ線を照射して得られる照射画像情報から、治療用Ｘ線による実際のアイソセンター７１の位置と、仮想アイソセンターに配置されたＸ線吸収体の位置との変位を測定する工程、及び診断用Ｘ線撮影装置４４からＸ線吸収体に診断用Ｘ線を照射して得られる照射画像情報から、診断用Ｘ線の中心位置と、仮想アイソセンターに配置されたＸ線吸収体の位置との変位を測定する工程を任意の順序で実施する。【選択図】図１１
2013046709.tif 000002
【特許請求の範囲】
【請求項１】
放射線治療室内の壁面から照射される位置決定用レーザー光により決定される仮想アイソセンターに対して、放射線治療室の治療台上に載置された変位測定用ファントムの内部に包埋されているＸ線吸収体が一致する位置で前記変位測定用ファントムを固定し、続いて以下の工程（１）及び工程（２）を任意の順序で実施することを特徴とする、前記位置決定用レーザー光による仮想アイソセンターの位置に対して、前記放射線治療装置のガントリーから照射される治療用Ｘ線による実際のアイソセンターの位置との変位及び前記放射線治療装置の診断用Ｘ線撮影装置から照射される診断用Ｘ線の中心位置との変位を測定する方法：
工程（１）
前記ガントリーから前記Ｘ線吸収体に治療用Ｘ線を照射して得られる照射画像情報から、前記治療用Ｘ線による実際のアイソセンターの位置と、仮想アイソセンターに配置された前記Ｘ線吸収体の位置との変位を測定する工程、及び
工程（２）
前記診断用Ｘ線撮影装置から前記Ｘ線吸収体に診断用Ｘ線を照射して得られる照射画像情報から、前記診断用Ｘ線の中心位置と、仮想アイソセンターに配置された前記Ｘ線吸収体の位置との変位を測定する工程。
【請求項２】
位置決定用レーザー光が、Ｘ軸方向位置決定用レーザー光と、Ｙ軸方向位置決定用レーザー光と、Ｚ軸方向位置決定用レーザー光とからなり、それらの位置決定用レーザー光が、放射線治療室内の天井及び側壁面に設けられた位置決定用レーザー光照射手段から一枚の平面状に相互に直交して照射される請求項１に記載の測定方法。
【請求項３】
前記ガントリーから前記Ｘ線吸収体に治療用Ｘ線を照射して得られる照射画像情報を、ガントリーからＸ線吸収体を通過して延びる通路上に設けた画像収集手段において取得する、請求項１又は２に記載の測定方法。
【請求項４】
前記診断用Ｘ線撮影装置から前記Ｘ線吸収体に診断用Ｘ線を照射して得られる照射画像情報を、前記診断用Ｘ線撮影装置の診断用Ｘ線照射部からＸ線吸収体を通過して延びる通路上に設けた診断用Ｘ線検出部において取得する、請求項１〜３のいずれか一項に記載の測定方法。
【請求項５】
仮想アイソセンター、実際のアイソセンター、又は診断用Ｘ線の中心位置のいずれか１点を調整基準点として選定し、請求項１に記載の工程（１）及び工程（２）によって得られる各変位の測定値を利用して、選定された調整基準点以外の２点を調整基準点と一致するように移動させ、仮想アイソセンターと、実際のアイソセンターと、診断用Ｘ線の中心位置とを一致させる調整方法。
【請求項６】
仮想アイソセンター、実際のアイソセンター、又は診断用Ｘ線の中心位置の内からいずれか１点を調整基準点として選定し、選定された調整基準点以外の２点の内の１点を第１移動点、もう一方の１点を第２移動点とし、請求項１に記載の工程（１）又は工程（２）のいずれか一方の工程を実施して得られる変位の測定値を利用して、第１移動点を調整基準点と一致するように移動させ、続いて、請求項１に記載の工程（１）又は工程（２）のもう一方の工程を実施して得られる変位の測定値を利用して、第２移動点を調整基準点と一致するように移動させ、仮想アイソセンターと、実際のアイソセンターと、診断用Ｘ線の中心位置とを一致させる調整方法。
【請求項７】
仮想アイソセンターの移動を、放射線治療室内の壁面に設けた位置決定用レーザー光照射手段の調整により実施し、実際のアイソセンターの移動を、放射線治療装置の調整により実施し、診断用Ｘ線の中心位置の移動を、放射線治療装置の設けた診断用Ｘ線撮影装置の調整により実施する、請求項５又は６に記載の調整方法。
【請求項８】
実際のアイソセンターを調整基準点として選定する請求項５又は７に記載の調整方法。
【請求項９】
実際のアイソセンターを調整基準点として選定し、仮想アイソセンターを第１移動点として選定し、診断用Ｘ線の中心位置を第２移動点として選定する請求項６又は７に記載の調整方法。
【請求項１０】
放射線治療室内の壁面から照射される位置決定用レーザー光により決定される仮想アイソセンターに対して、放射線治療室の治療台上に載置された変位測定用ファントムの内部に包埋されているＸ線吸収体が一致する位置で前記変位測定用ファントムを固定し、放射線治療装置のガントリーを、ガントリー回転手段によってアイソセンターを回転中心として回転させた場合の最頂上部に位置させ、続いて、最頂上部に位置するガントリーから治療用Ｘ線を床面に向かって鉛直方向に照射させ、前記Ｘ線吸収体を照射した後の照射画像情報から、治療用Ｘ線が描く軌跡と、治療台回転盤の回転軸との変位を測定する方法。
【請求項１１】
請求項１０に記載の測定方法において得られた変位の測定結果を利用して、ガントリー回転手段によってアイソセンターを回転中心として回転させた場合の最頂上部に位置させたガントリーから照射される治療用Ｘ線が描く軌跡と、治療台回転盤の回転軸との変位を調整する方法。
【請求項１２】
請求項１〜４及び１０のいずれか一項に記載の測定方法において得られた変位の測定結果を利用して、放射線治療装置の治療台を移動させることにより、前記治療台上に固定された患者の治療目標患部と、治療用Ｘ線による実際のアイソセンターの位置とを一致させる調整方法。
【請求項１３】
放射線治療室の位置決定用レーザー光による仮想アイソセンターと、放射線治療装置の診断用Ｘ線撮影装置とを利用して、放射線治療装置のガントリーから照射される治療用Ｘ線による実際のアイソセンターの位置と、放射線治療室の治療台上に載置された患者の治療目標患部とを一致させるための治療台の移動制御を行う制御システムであって、
前記仮想アイソセンターの位置に対して、前記放射線治療装置のガントリーから照射される治療用Ｘ線による実際のアイソセンターの位置との変位及び前記放射線治療装置の診断用Ｘ線撮影装置から照射される診断用Ｘ線の中心位置との変位に関して、請求項１〜４のいずれか一項に記載の測定方法において得られた変位の測定結果を導入することを特徴とする、前記の制御システム。
【請求項１４】
放射線治療装置のガントリーから照射される治療用Ｘ線による実際のアイソセンターの位置と、放射線治療室内の壁面から照射される位置決定用レーザー光により決定される仮想アイソセンターの位置と、診断用Ｘ線撮影装置から前記Ｘ線吸収体に診断用Ｘ線を照射することにより、前記診断用Ｘ線撮影装置から照射される診断用Ｘ線の中心位置との変位を測定するためのファントムであって、
（１）放射線治療装置の治療台上に載置可能な底面を有する保持盤部、及び
（２）前記保持盤部の上面に設けられた位置検出部
を含み、前記位置検出部が、
（ａ）Ｘ線透過性材料からなる保持棒部、
（ｂ）前記保持棒部の内部に包埋されたＸ線吸収体、
（ｃ）前記保持棒部表面に設けられ、放射線治療室内の壁面から照射される位置決定用レーザー光が前記保持棒部の表面に描く線状画像と一致する形状を有する線状レーザー光吸収帯、及び
（ｄ）前記線状レーザー光吸収帯に交差させて前記保持棒部表面に設けたズレ検出用レーザー光吸収領域
を含むことを特徴とする、変位測定用ファントム。
【発明の詳細な説明】
【技術分野】
【０００１】
本発明は、放射線治療装置におけるアイソセンターの変位測定方法、及びその変位の調整方法に関する。本発明によれば、放射線治療装置における治療用Ｘ線のアイソセンター（実際のアイソセンター）と位置決定用照射線（例えば、レーザー光）の仮想アイソセンターとの変位（ズレ）を測定することができると共に、その測定値を利用して変位（ズレ）を調整（又は修正）することができる。また、本発明は、前記の変位測定方法に用いることのできる変位測定用ファントムにも関する。
【背景技術】
【０００２】
がんの治療においては、外科療法、化学療法、放射線治療、又は免疫療法などの治療方法が主に使用されている。これらの治療方法の中で、放射線治療は、電磁波（例えば、Ｘ線又はγ線）又は粒子線（例えば、電子線、陽子線、又は中性子線）をがん細胞に照射して、がん細胞を死滅させる方法である。この放射線治療は、がん細胞を死滅させるのに十分な量の放射線を体内に照射し、一方では、正常な組織に損傷を与えないようにすることを目標としている。
【０００３】
電磁波としてＸ線を使用する放射線治療では、従来から放射線治療装置が使用されており、放射線治療部位確認のために超高圧のＸ線を用いて治療部位の撮影が行われていた。この超高圧Ｘ線は、治療用Ｘ線と同様の高エネルギーを有するＸ線であるため、治療部位確認のための十分なコントラストを得る事ができず、詳細の検証を行うまでには至っていなかった。最近では、放射線治療装置に診断用Ｘ線撮影装置を付属させることにより、低エネルギーＸ線による微細な情報を得ることが可能になり、より精度の高い治療を行う事が可能になってきている（例えば、非特許文献１）。このような放射線治療装置の代表例を図１に示す。
図１に示す放射線治療装置４は、ガントリー４１、ガントリー回転手段４２、診断用Ｘ線撮影装置４４、及び治療台４６を含む。
【０００４】
ガントリー４１は、がん細胞（がん組織）を死滅させるために使用されるＸ線（以下、治療用Ｘ線）を、その内部で発生させて、治療台４６の上に横たわっている患者のがん細胞（がん組織）に向けて治療用Ｘ線を照射するための装置である。治療用Ｘ線は、ガントリー４１に設けた治療用Ｘ線照射部４１ａから治療台４６の方向へ照射される。
【０００５】
ガントリー回転手段４２は、治療用Ｘ線照射の中心位置であるアイソセンターが回転中心となるように、診断用Ｘ線撮影装置４４と一体的に、ガントリー４１を３６０°回転させることのできる手段である。なお、アイソセンターとは、ガントリー４１から照射される治療用Ｘ線の線束の集中する点を意味し、このアイソセンターと患者の治療目標患部（がん組織）とを一致させて放射線治療を実施する。ガントリー回転手段４２による３６０°回転が可能になることによって、任意の方向から、アイソセンターに向けて、治療用Ｘ線を照射することが可能となる。
【０００６】
診断用Ｘ線撮影装置４４は、治療台４６の上に横たわっている患者の体内に存在するがん細胞（がん組織）の位置を正確かつ精密に測定するための装置で、診断用Ｘ線照射部４４ａと診断用Ｘ線検出部４４ｂとを含む。診断用Ｘ線照射部４４ａから診断用Ｘ線が照射され、診断用Ｘ線検出部４４ｂにおいて、診断用Ｘ線画像を取得することができる。すなわち、患者の体内に存在するがん細胞（がん組織）の位置を外側から正確に把握するのは困難であるが、診断用Ｘ線照射部４４ａから診断用Ｘ線を照射し、治療台４６の上の患者の体内を通過させ、診断用Ｘ線検出部４４ｂで画像を取得することによって、周辺臓器の情報をもとに患者体内のがん細胞（がん組織）の位置を確定する画像（又は画像信号）を得ることができる。診断用Ｘ線撮影装置４４により、患者体内のがん細胞（がん組織）の位置は、放射線治療する直前の患者、放射線治療中の患者、又は放射線治療後の患者に関して、正確に把握することができ、がん細胞に対してより正確に治療用Ｘ線を照射することができる。なお、診断用Ｘ線撮影装置４４による診断用Ｘ線の照射方向は、ガントリー４１による治療用Ｘ線の照射方向と交差（特に直交）させ、両者の光軸が相互に一致しないように配置することが好ましい。この診断用Ｘ線撮影装置４４も、ガントリー回転手段４２によって、ガントリー４１と一体的にアイソセンターを中心に３６０°回転させることができる。この３６０°回転によって、任意の方向から、Ｘ線撮影を行うことができる。
【０００７】
治療台４６は、放射線治療を受ける患者を寝かせて、放射線治療を実施するためのベッドである。治療台４６は、ガントリー４１などとの相対位置の調整可能な位置調整手段（図示せず）を備えており、この位置調整手段によって、様々な方向に治療台４６を移動させることができる。治療台４６の移動機構と、ガントリー４１の３６０°回転機構とを合わせて調整することによって、正常な組織を避けて、がん細胞（がん組織）に対して、治療用Ｘ線を正確に照射することが可能となる。
【０００８】
なお、図１には図示されていないが、放射線治療装置４が設置されている放射線治療室には、放射線治療室内の壁面（すなわち、天井や側壁面）から、位置決定用レーザー光が照射されている。この位置決定用レーザー光は、患者の治療目標患部とアイソセンターとを一致させるために使用される。
【０００９】
放射線治療装置を使用する放射線治療は、通常、以下の工程（１）〜（６）によって実施される。
（１）治療目標患部の決定工程：
治療計画用ＣＴなどによって、患者の体内に存在するがん細胞（がん組織）の位置を確認して、治療目標患部を決定する。
（２）マーキング工程：
治療目標患部の場所を示すために、患者の皮膚表面上に印（以下、皮膚マーク）を付ける作業を行う。
（３）位置確定工程：
放射線治療室に患者を移動させて、治療目標患部とアイソセンターとを一致させるための作業を行う。
（４）Ｘ線撮影工程：
治療用Ｘ線を照射する直前に、患者に対して、診断用Ｘ線撮影装置によってＸ線撮影を行う。
（５）位置微調整工程：
放射線治療室においてＸ線撮影された画像情報と、治療計画用ＣＴにより得られた画像情報とを比較して、患者の位置決めを再度行う。
（６）治療用Ｘ線照射工程：
治療用Ｘ線を患者に照射する。
【００１０】
図１に示す放射線治療装置４を使用して、前記工程（１）〜（６）の放射線治療を実施する場合の具体的操作を、図１〜図３に沿って説明する。
治療目標患部の決定工程（１）では、治療計画用ＣＴなどによって、患者３（図２及び図３参照）の体内に存在するがん細胞（がん組織）の位置を確認して、治療目標患部３３を決定する。
次に、マーキング工程（２）では、図２に示すように、患者３の体内の治療目標患部３３の場所を示すために、患者３の皮膚表面上の２ヵ所（Ａ点及びＢ点）に皮膚マーク３１を付ける。図２は、マーキング工程後に、患者３を放射線治療室の治療台４６に乗せた状態を示している。患者３は、患者頭部固定用枕３８やその他の固定具（図示せず）を用いて治療台４６に固定させる。
【００１１】
続いて、位置確定工程（３）では、図３に示すように、放射線治療室内の壁面（天井及び側面）から位置決定用レーザー光３５を患者３に照射し、位置決定用レーザー光３５ａ，３５ｂ，３５ｃが皮膚マーク３１と一致するように治療台４６を移動させ、完全に一致した地点で治療台４６を固定する。ここで、位置決定用レーザー光３５ａ，３５ｂ，３５ｃは１点で交差するように調整されており、しかも、その交差点（仮想アイソセンター）は、放射線治療装置４のガントリー４１から照射される治療用Ｘ線によるアイソセンター（実際のアイソセンター）と完全に一致するように調整されている。従って、位置決定用レーザー光３５ａ，３５ｂ，３５ｃが皮膚マーク３１と完全に一致する地点で治療台４６を固定することにより、治療目標患部３３とアイソセンター（実際のアイソセンター）とを一致させることができる。
【００１２】
具体的には、位置決定用レーザー光３５は、図３に示すように、Ｘ軸方向位置決定用レーザー光３５ａと、Ｙ軸方向位置決定用レーザー光３５ｂと、Ｚ軸方向位置決定用レーザー光３５ｃとからなる。Ｘ軸方向位置決定用レーザー光３５ａは、放射線治療室内の天井に備えられたレーザー光照射手段（図示せず）から、床面の方向に向かって、一枚の平面状に照射され、患者３との接触点（体表面）で、体の中心部を咽喉元付近から下半身の方向に延びる線状画像３６ａを患者３の体表面上に描く。Ｙ軸方向位置決定用レーザー光３５ｂは、放射線治療室内の側壁面に備えられたレーザー光照射手段（図示せず）から、天井及び床面と平行方向に、Ｘ軸方向位置決定用レーザー光３５ａと直交する一枚の平面状に照射され、患者３との接触点（体表面）で、体の側面を縦方向に延びる線状画像３６ｂを描く。Ｚ軸方向位置決定用レーザー光３５ｃは、放射線治療室内の天井に備えられたレーザー光照射手段（図示せず）又は放射線治療装置４から、床面の方向に向かって、Ｘ軸方向位置決定用レーザー光３５ａ及びＹ軸方向位置決定用レーザー光３５ｂとそれぞれ直交する一枚の平面状に照射され、患者３との接触点（体表面）で、体を左右に横断する方向に延びる線状画像３６ｃを描く。
【００１３】
Ｘ軸方向位置決定用レーザー光３５ａによる線状画像３６ａとＺ軸方向位置決定用レーザー光３５ｃによる線状画像３６ｃとの交点Ｃを、皮膚マーク３１の交点Ａと一致させ、それと同時に、Ｙ軸方向位置決定用レーザー光３５ｂによる線状画像３６ｂとＺ軸方向位置決定用レーザー光３５ｃによる線状画像３６ｃとの交点Ｄを、皮膚マーク３１の交点Ｂと一致させると、治療目標患部３３がアイソセンター３７に位置することになる。
【００１４】
Ｘ線撮影工程（４）は、治療目標患部３３と仮想アイソセンターとを一致させた状態で実施する。すなわち、治療用Ｘ線を照射する直前に、患者３に対して、診断用Ｘ線撮影装置４４によってＸ線撮影を行い、患者３の体内における治療目標患部３３の実際の位置と、皮膚マーク３１から決定される治療目標患部３３の位置の変位（ズレ）を測定する。Ｘ線撮影を複数の角度で実施することによって、より精度の高い治療目標患部３３の３次元の位置を確認することができる。この変位（ズレ）測定を実施する目的は、マーキング工程（２）の実施時点と、位置確定工程（３）の実施時点とが異なり（異時だけでなく異日になることもある）、体調変化及び治療効果などによって体内状況が完全に同一ではないことから、治療目標患部３３がずれることがあるためである。放射線治療においては、極めてわずかなズレがあっても、正常組織に損傷を与えることになるので、それを回避することが望まれている。なお、診断用Ｘ線撮影装置を備えていない放射線治療装置では、位置確認のために治療用Ｘ線を用いて撮影された情報を利用していたが、画像のコントラストが得られず正確性には欠けていた。
【００１５】
位置微調整工程（５）は、前記のＸ線撮影工程（４）で変位（ズレ）が検出された場合に実施し、治療目標患部３３の実際の位置とアイソセンター３７とを完全に一致させる。こうして、治療目標患部３３の位置とアイソセンター３７とを完全に一致させた状態で治療用Ｘ線照射工程（６）を行う。
【００１６】
診断用Ｘ線撮影装置を備えていない放射線治療装置では、皮膚マーク３１と位置決定用レーザー光３５のみによって、治療目標患部とアイソセンターとを一致させていたので、患者の内臓の充満度の差異や呼吸に伴う内臓の動きによって、治療用Ｘ線をがん細胞に正確に照射することができない場合もあった。これに対して、前記の放射線治療のように、診断用Ｘ線撮影装置を備えた放射線治療装置では、放射線治療室で患者に対して放射線治療を実施する前にＸ線撮影を行い、その画像を用いることによりがん細胞の位置を確認しながら行う放射線治療は、画像誘導放射線治療（ＩＧＲＴ：ｉｍａｇｅ−ｇｕｉｄｅｄ  ｒａｄｉａｔｉｏｎ  ｔｈｅｒａｐｙ）と呼ばれている。このＩＧＲＴ法によって、治療用Ｘ線照射の精度を更に上げることができる。
【先行技術文献】
【非特許文献】
【００１７】
【非特許文献１】京都大学医学部附属病院放射線科のホームページ「治療設備紹介」http://radiotherapy.kuhp.kyoto-u.ac.jp/index.php?p=13
【発明の概要】
【発明が解決しようとする課題】
【００１８】
前記のＩＧＲＴ法によれば、治療用Ｘ線照射を高精度で実施することができる。
このＩＧＲＴ法を高精度で実施するための前提条件として、治療用Ｘ線の実際のアイソセンターと、位置決定用レーザー光による仮想アイソセンターと、診断用Ｘ線撮影装置から照射される診断用Ｘ線の中心とが一致している必要がある。従来から、放射線治療室に放射線治療装置を最初に設置する際には、前記の３点を正確に一致させた状態で設置作業が実施されているが、前記の３点を正確に一致させた状態で設置が行われても、その後に繰り返して実施される運転操作や地震などの振動の影響によって、前記の３点にズレが生じることは避けられない。
しかしながら、従来は、ＩＧＲＴ法を実施する放射線治療装置において、治療用Ｘ線の実際のアイソセンターと、位置決定用レーザー光による仮想アイソセンターと、診断用Ｘ線撮影装置から照射される診断用Ｘ線の中心位置とが一致しているか否かの検査を簡便に実施する方法は知られていなかった。また、高エネルギーＸ線である治療用Ｘ線を用いて撮影された情報をもとに位置確認を実施した場合は、画像のコントラストが得られず、正確性には欠けていた。
従って、本発明の目的は、診断用Ｘ線撮影装置を備えた放射線治療装置において、治療用Ｘ線の実際のアイソセンターと、位置決定用レーザー光による仮想アイソセンターと変位（ズレ）を測定すると共に、治療用Ｘ線の実際のアイソセンターと、前記診断用Ｘ線撮影装置から照射される診断用Ｘ線の中心位置との変位（ズレ）を測定する手段を提供することにある。
【００１９】
また、本発明の別の目的は、前記の変位測定値を利用して、位置決定用レーザー光により決定される仮想アイソセンターを移動させることにより、前記仮想アイソセンターと、治療用Ｘ線による実際のアイソセンターの位置及び／又は診断用Ｘ線撮影装置から照射される診断用Ｘ線の中心位置とを一致させる調整手段を提供することにある。
【００２０】
更に、本発明の別の目的は、変位測定用ファントムを提供することにある。
【課題を解決するための手段】
【００２１】
前記課題は、本発明により、
放射線治療室内の壁面から照射される位置決定用レーザー光により決定される仮想アイソセンターに対して、放射線治療室の治療台上に載置された変位測定用ファントムの内部に包埋されているＸ線吸収体が一致する位置で前記変位測定用ファントムを固定し、続いて以下の工程（１）及び工程（２）を任意の順序で実施することを特徴とする、前記位置決定用レーザー光による仮想アイソセンターの位置に対して、前記放射線治療装置のガントリーから照射される治療用Ｘ線による実際のアイソセンターの位置との変位及び前記放射線治療装置の診断用Ｘ線撮影装置から照射される診断用Ｘ線の中心位置との変位を測定する方法：
工程（１）
前記ガントリーから前記Ｘ線吸収体に治療用Ｘ線を照射して得られる照射画像情報から、前記治療用Ｘ線による実際のアイソセンターの位置と、仮想アイソセンターに配置された前記Ｘ線吸収体の位置との変位を測定する工程、及び
工程（２）
前記診断用Ｘ線撮影装置から前記Ｘ線吸収体に診断用Ｘ線を照射して得られる照射画像情報から、前記診断用Ｘ線の中心位置と、仮想アイソセンターに配置された前記Ｘ線吸収体の位置との変位を測定する工程
によって、解決することができる。
【００２２】
本発明による測定方法の好ましい態様においては、位置決定用レーザー光が、Ｘ軸方向位置決定用レーザー光と、Ｙ軸方向位置決定用レーザー光と、Ｚ軸方向位置決定用レーザー光とからなり、それらの位置決定用レーザー光が、放射線治療室内の天井及び側壁面に設けられた位置決定用レーザー光照射手段から一枚の平面状に相互に直交して照射される。
本発明による測定方法の別の好ましい態様においては、前記ガントリーから前記Ｘ線吸収体に治療用Ｘ線を照射して得られる照射画像情報を、ガントリーからＸ線吸収体を通過して延びる通路上に設けた画像収集手段において取得する。
本発明による測定方法の更に別の好ましい態様においては、前記診断用Ｘ線撮影装置から前記Ｘ線吸収体に診断用Ｘ線を照射して得られる照射画像情報を、前記診断用Ｘ線撮影装置の診断用Ｘ線照射部からＸ線吸収体を通過して延びる通路上に設けた診断用Ｘ線検出部において取得する。
【００２３】
また、本発明は、仮想アイソセンター、実際のアイソセンター、又は診断用Ｘ線の中心位置のいずれか１点を調整基準点として選定し、請求項１に記載の工程（１）及び工程（２）によって得られる各変位の測定値を利用して、選定された調整基準点以外の２点を調整基準点と一致するように移動させ、仮想アイソセンターと、実際のアイソセンターと、診断用Ｘ線の中心位置とを一致させる調整方法にも関する。
【００２４】
更に、本発明は、仮想アイソセンター、実際のアイソセンター、又は診断用Ｘ線の中心位置の内からいずれか１点を調整基準点として選定し、選定された調整基準点以外の２点の内の１点を第１移動点、もう一方の１点を第２移動点とし、請求項１に記載の工程（１）又は工程（２）のいずれか一方の工程を実施して得られる変位の測定値を利用して、第１移動点を調整基準点と一致するように移動させ、続いて、請求項１に記載の工程（１）又は工程（２）のもう一方の工程を実施して得られる変位の測定値を利用して、第２移動点を調整基準点と一致するように移動させ、仮想アイソセンターと、実際のアイソセンターと、診断用Ｘ線の中心位置とを一致させる調整方法にも関する。
【００２５】
本発明による調整方法の好ましい態様においては、仮想アイソセンターの移動を、放射線治療室内の壁面に設けた位置決定用レーザー光照射手段の調整により実施し、実際のアイソセンターの移動を、放射線治療装置の調整により実施し、診断用Ｘ線の中心位置の移動を、放射線治療装置の設けた診断用Ｘ線撮影装置の調整により実施する。
本発明による調整方法の別の好ましい態様においては、実際のアイソセンターを調整基準点として選定する。
本発明による調整方法の更に別の好ましい態様においては、実際のアイソセンターを調整基準点として選定し、仮想アイソセンターを第１移動点として選定し、診断用Ｘ線の中心位置を第２移動点として選定する。
【００２６】
更に、本発明は、放射線治療室内の壁面から照射される位置決定用レーザー光により決定される仮想アイソセンターに対して、放射線治療室の治療台上に載置された変位測定用ファントムの内部に包埋されているＸ線吸収体が一致する位置で前記変位測定用ファントムを固定し、放射線治療装置のガントリーを、ガントリー回転手段によってアイソセンターを回転中心として回転させた場合の最頂上部に位置させ、続いて、最頂上部に位置するガントリーから治療用Ｘ線を床面に向かって鉛直方向に照射させ、前記Ｘ線吸収体を照射した後の照射画像情報から、治療用Ｘ線が描く軌跡と、治療台回転盤の回転軸との変位を測定する方法にも関する。
また、前記測定方法において得られた変位の測定結果を利用して、ガントリー回転手段によってアイソセンターを回転中心として回転させた場合の最頂上部に位置させたガントリーから照射される治療用Ｘ線が描く軌跡と、治療台回転盤の回転軸との変位を調整する方法にも関する。
【００２７】
本発明による調整方法の更に別の好ましい態様においては、前記測定方法において得られた変位の測定結果を利用して、放射線治療装置の治療台を移動させることにより、前記治療台上に固定された患者の治療目標患部と、治療用Ｘ線による実際のアイソセンターの位置とを一致させる。
【００２８】
更に、本発明は、放射線治療室の位置決定用レーザー光による仮想アイソセンターと、放射線治療装置の診断用Ｘ線撮影装置とを利用して、放射線治療装置のガントリーから照射される治療用Ｘ線による実際のアイソセンターの位置と、放射線治療室の治療台上に載置された患者の治療目標患部とを一致させるための治療台の移動制御を行う制御システムにも関する。
【００２９】
更に、本発明は、放射線治療装置のガントリーから照射される治療用Ｘ線による実際のアイソセンターの位置と、放射線治療室内の壁面から照射される位置決定用レーザー光により決定される仮想アイソセンターの位置と、診断用Ｘ線撮影装置から前記Ｘ線吸収体に診断用Ｘ線を照射することにより、前記診断用Ｘ線撮影装置から照射される診断用Ｘ線の中心位置との変位を測定するためのファントムにも関する。
【発明の効果】
【００３０】
本発明の測定方法は、治療用Ｘ線の実際のアイソセンターと、位置決定用レーザー光による仮想アイソセンターと、診断用Ｘ線撮影装置から照射される診断用Ｘ線の中心位置とが一致しているか否かの検査を簡便に行うことができる。
【００３１】
本発明の調整方法は、前記測定方法により得られた変位測定値を利用して、治療用Ｘ線の実際のアイソセンターと、位置決定用レーザー光による仮想アイソセンターと、診断用Ｘ線撮影装置から照射される診断用Ｘ線の中心位置とを一致させることができる。
【００３２】
本発明の変位測定用ファントムは、前記測定方法及び調整方法に使用することができる。
【図面の簡単な説明】
【００３３】
【図１】放射線治療装置の模式的斜視図である。
【図２】皮膚マークを付けた後の患者の状態を示す模式的斜視図である。
【図３】皮膚マークと位置決定用レーザー光とを一致させた状態の患者を示す模式的斜視図である。
【図４】本発明による変位測定用ファントムの模式的斜視図である。
【図５】本発明による変位測定用ファントムに用いる位置検出部の模式的部分拡大図である。
【図６】図５の位置検出部の一部を切り欠いて示す模式的部分拡大図である。
【図７】本発明による変位測定用ファントムに用いる保持盤部の一部を切り欠いて示す模式的側面図である。
【図８】本発明による変位測定用ファントムの使用状態を示す模式的斜視図である。
【図９】ズレ検出用レーザー光吸収領域を設けない場合における、位置決定用レーザー光と位置決定用レーザー光吸収帯とを一致させる方法を説明するための図である。
【図１０】ズレ検出用レーザー光吸収領域を設けた場合における、位置決定用レーザー光と位置決定用レーザー光吸収帯とを一致させる方法を説明するための図である。
【図１１】図１に示す放射線治療装置における変位測定方法及び変位調整方法を示す模式的斜視図である。
【発明を実施するための形態】
【００３４】
最初に、本発明の測定方法に用いる変位測定用ファントムの好ましい態様の一例を図４〜図７に沿って説明する。
図４は、変位測定用ファントム１０の模式的斜視図であり、変位測定用ファントム１０は、位置検出部１と保持盤部２とを含む。図５は、位置検出部１の模式的部分拡大図であり、図６は、位置検出部１の一部を切り欠いて示す模式的部分拡大図であり、図７は、保持盤部２の一部を切り欠いて示す模式的側面図である。
【００３５】
図４〜図７に示すとおり、変位測定用ファントム１０の位置検出部１は、前記保持盤部２の上面に固定して設けられ、Ｘ線吸収体１１とＸ線透過性材料からなる保持棒部１２とを有しており、Ｘ線吸収体１１はＸ線透過性保持棒部１２の内部に包埋されている。
Ｘ線透過性保持棒部１２の表面には、位置決定用レーザー光吸収帯１４及びズレ検出用レーザー光吸収領域１６が設けられている。
位置検出部１の保持棒部１２は、棒状体の一方の端部側で保持盤部２に固定されており、もう一方の端部側を保持盤部２から突出させており、自由先端部を有していることが好ましい。
【００３６】
Ｘ線吸収体１１は、治療用Ｘ線及び診断用Ｘ線を吸収する材料からできている。
Ｘ線吸収体１１の材料としては、Ｘ線を吸収可能な材料である限り限定されるものではないが、Ｘ線の吸収能が高いことから、タングステンが好ましい。
Ｘ線吸収体１１の形状は、位置の特定が可能である限り特に限定されないが、図４〜図７に示すような球状が好ましく、Ｘ線を吸収してＸ線画像を形成し、投影された円形の中心から位置を計測することができる。Ｘ線吸収体１１の寸法も、位置の特定が可能である限り特に限定されないが、例えば、球状Ｘ線吸収体の場合は、直径が、好ましくは２ｍｍ〜１０ｍｍ、より好ましくは３ｍｍ〜５ｍｍである。
【００３７】
保持棒部１２におけるＸ線吸収体１１の位置は、図４に示すように、Ｘ線画像を形成する際にＸ線の通路が保持盤部２に妨害されない位置である必要があり、保持盤部２に妨害されない限り、保持棒部１２の中央の位置、保持盤部２に近い後方の位置に配置してもよいが、変位（ズレ）検出操作の容易性の観点から、保持盤部２から突出している部分、特には、保持棒部１２の自由先端部に配置することが好ましい。
【００３８】
保持棒部１２の材料としては、保持棒部１２の内部に含まれるＸ線吸収体１１のみに治療用Ｘ線及び診断用Ｘ線を吸収させることが理想なので、治療用Ｘ線及び診断用Ｘ線に対して透過性を有する必要がある。また、内部にＸ線吸収体１１を包埋して含有する必要がある。従って、Ｘ線透過性及び包埋操作の目視確認の容易性から、各種の透明合成樹脂（例えば、アクリル樹脂）が好ましく、透明なガラス等も好適である。
【００３９】
保持棒部１２の形状は、その内部にＸ線吸収体１１を包埋することができ、更にその側面上に、後述する位置決定用レーザー光吸収帯及びズレ検出用レーザー光吸収領域を設けることのできる形状であれば限定されない。従って、図４〜図７に示すような正四角柱（断面が正方形の四角柱）に限定されず、例えば、円柱や四角柱（断面が長方形の四角柱を含む）の形状とすることができる。
【００４０】
位置決定用レーザー光吸収帯１４は、Ｘ軸方向位置決定用レーザー光吸収帯１４ａとＹ軸方向位置決定用レーザー光吸収帯１４ｂとＺ軸方向位置決定用レーザー光吸収帯１４ｃとからなる。
Ｘ軸方向位置決定用レーザー光吸収帯１４ａは、正四角柱状の保持棒部１２の上面１２Ｕ、前方端面１２Ｔ、及び下面１２Ｄのそれぞれ幅方向の中央に、相互に連続する直線として設け、上面１２Ｕと下面１２Ｄの直線は相互に平行である。
Ｙ軸方向位置決定用レーザー光吸収帯１４ｂは、正四角柱状の保持棒部１２の左側面１２Ｌ、前方端面１２Ｔ、及び右側面１２Ｒのそれぞれ幅方向の中央に、相互に連続する直線として設け、左側面１２Ｌと右側面１２Ｒの直線は相互に平行である。また、Ｘ軸方向位置決定用レーザー光吸収帯１４ａと、Ｙ軸方向位置決定用レーザー光吸収帯１４ｂは、保持棒部１２の前方端面１２Ｔの中心点で相互に直交する。
Ｚ軸方向位置決定用レーザー光吸収帯１４ｃは、正四角柱状の保持棒部１２の上面１２Ｕ、左側面１２Ｌ、下面１２Ｄ、及び右側面１２Ｒにおいて、前方端面１２Ｔの４辺とそれぞれ平行に、相互に連続する直線として設け、上面１２Ｕと下面１２Ｄの直線は相互に平行であり、左側面１２Ｌと右側面１２Ｒの直線は相互に平行である。また、上面１２Ｕと下面１２Ｄの直線は、Ｘ軸方向位置決定用レーザー光吸収帯１４ａの直線と直交し、左側面１２Ｌと右側面１２Ｒの直線は、Ｙ軸方向位置決定用レーザー光吸収帯１４ｂの直線と直交する。なお、Ｚ軸方向位置決定用レーザー光吸収帯１４ｃと前方端面１２Ｔとの間隔は特に限定されないが、例えば、図４〜図７に示すように、前方端面１２Ｔの各辺の長さの１／２とすることができる。
【００４１】
位置決定用レーザー光吸収帯１４（１４ａ，１４ｂ，１４ｃ）は、図５及び図６に示すように、保持棒部１２の内部に包埋して含まれているＸ線吸収体１１の位置を示すために設けられている。
具体的には、図６に示すように、Ｘ軸方向位置決定用レーザー光吸収帯１４ａに沿って保持棒部１２を切断してできる断面と、Ｙ軸方向位置決定用レーザー光吸収帯１４ｂに沿って保持棒部１２を切断してできる断面と、Ｚ軸方向位置決定用レーザー光吸収帯１４ｃに沿って保持棒部１２を切断してできる断面との交点が、Ｘ線吸収体１１の中心位置と完全に一致するように位置決定用レーザー光吸収帯１４（１４ａ，１４ｂ，１４ｃ）を設ける。
【００４２】
保持棒部１２の側面に設けた位置決定用レーザー光吸収帯１４（１４ａ，１４ｂ，１４ｃ）は、放射線治療室内の壁面（天井及び側面）から照射される位置決定用レーザー光３５（３５ａ，３５ｂ，３５ｃ）との位置合わせに用いることができる。具体的には、Ｘ軸方向位置決定用レーザー光３５ａが保持棒部１２の側面に描く線状画像と、Ｘ軸方向位置決定用レーザー光吸収帯１４ａとを一致させ、Ｙ軸方向位置決定用レーザー光３５ｂが保持棒部１２の側面に描く線状画像と、Ｙ軸方向位置決定用レーザー光吸収帯１４ｂとを一致させ、Ｚ軸方向位置決定用レーザー光３５ｃが保持棒部１２の側面に描く線状画像と、Ｚ軸方向位置決定用レーザー光吸収帯１４ｃとを一致させることにより、位置決定用レーザー光３５（３５ａ，３５ｂ，３５ｃ）による仮想アイソセンターの位置と、保持棒部１２の内部に包埋されているＸ線吸収体１１の位置を一致させることができる。
【００４３】
前記の位置決定用レーザー光吸収帯１４の幅は、位置決定用レーザー光３５の線状画像との確実な一致性を確認することが目的なので、位置決定用レーザー光３５が描く線状画像の幅（一般的には、１ｍｍ）とほぼ一致するかことが好ましく、極めて細い線状である。従って、位置決定用レーザー光吸収帯１４の幅は、使用される位置決定用レーザー光３５が描く線状画像の幅によって変化するが、一般的には、０．５〜１．５ｍｍ、特には１ｍｍである。
【００４４】
本発明のファントム１０において、位置検出部１の保持棒部１２はＸ線透過性材料からなるため、通常は透明であり、レーザー光も吸収せずに透過する。従って、保持棒部１２の側面に設ける位置決定用レーザー光吸収帯１４は、レーザー光（すなわち、位置決定用レーザー光３５）を吸収して肉眼で観察可能にする材料から形成する必要がある。レーザー光吸収性材料（好ましくは、更にＸ線透過性材料）としては、公知の材料を用いることができ、保持棒部１２の側面に公知の方法によって塗布することにより形成することができる。また、保持棒部１２の側面に線状の溝を設け、その溝にレーザー光吸収性材料を充填して位置決定用レーザー光吸収帯１４を形成することもできる。
【００４５】
本発明のファントム１０において、位置検出部１の保持棒部１２には、更にズレ検出用レーザー光吸収領域１６を設けることができる。ズレ検出用レーザー光吸収領域１６は、Ｘ軸方向ズレ検出用レーザー光吸収領域１６ａ、Ｙ軸方向ズレ検出用レーザー光吸収領域１６ｂ、及びＺ軸方向ズレ検出用レーザー光吸収領域１６ｃの少なくともいずれか１つに設け、好ましくは全てに設ける。ズレ検出用レーザー光吸収領域１６は、位置決定用レーザー光吸収帯１４と交差（好ましくは直交）させる。ズレ検出用レーザー光吸収領域１６は、位置決定用レーザー光吸収帯１４と同様に、レーザー光（すなわち、位置決定用レーザー光３５）を吸収して肉眼で観察可能にする材料から形成する必要がある。レーザー光吸収性材料（好ましくは、更にＸ線透過性材料）としては、公知の材料を用いることができ、保持棒部１２の側面に公知の方法によって塗布することにより形成することができる。また、保持棒部１２の側面に線状の溝を設け、その溝にレーザー光吸収性材料を充填してズレ検出用レーザー光吸収領域１６を形成することもできる。
【００４６】
ズレ検出用レーザー光吸収領域１６は、位置決定用レーザー光吸収帯１４（１４ａ，１４ｂ，１４ｃ）と、位置決定用レーザー光３５（３５ａ，３５ｂ，３５ｃ）が保持棒部１２の側面に描く線状画像とを、位置決定用レーザー光吸収帯１４の一側面の全長にわたって一致させる操作を容易にするために使用される。
例えば、Ｘ軸方向位置決定用レーザー光３５ａが保持棒部１２の側面に描く線状画像と、Ｘ軸方向位置決定用レーザー光吸収帯１４ａとが一致しないと、図９に示すように、両者の交差点Ｅでのみレーザー光の吸収が起こり、それ以外の箇所ではレーザー光が透過されるので、両者の線のズレの方向や程度を判断することができないか、極めて困難である。
【００４７】
これに対し、Ｘ軸方向ズレ検出用レーザー光吸収領域１６ａも設けると、図１０に示すように、位置決定用レーザー光３５ａが軸方向ズレ検出用レーザー光吸収領域１６ａとの交差点Ｆ及びＧでも吸収され、交差点Ｅ、Ｆ、及びＧの３点で位置決定用レーザー光３５ａが吸収されて観察可能になるため、両者の線のズレの方向や程度を簡単に判断することができ、位置決定用レーザー光吸収帯１４（１４ａ，１４ｂ，１４ｃ）の長さ方向の全体と、位置決定用レーザー光３５（３５ａ，３５ｂ，３５ｃ）が保持棒部１２の側面に描く線状画像の全体とを、位置決定用レーザー光吸収帯１４の一側面の全長にわたって一致させる操作を容易に行うことができる。
【００４８】
従って、ズレ検出用レーザー光吸収領域１６を設ける位置は、両者の線のズレの方向や程度の判断を容易にすることが可能な位置であれば特に限定されないが、例えば、図４〜図７に示すように、保持棒部１２の各側面に設けた位置決定用レーザー光吸収帯１４の少なくとも１端部、好ましくは両端部に、位置決定用レーザー光吸収帯１４と交差（好ましくは直交）する帯状体や線状体として設けることができる。
【００４９】
本発明のファントムにおいて、位置検出部１は、Ｘ線透過性保持棒部１２が透明アクリル樹脂などからなるため、位置検出部１が内部に包埋して含んでいるＸ線吸収体１１は、外側から肉眼で明瞭に観察することができる。また、観察している側と反対側の稜線や、反対側の側面に設けた位置決定用レーザー光吸収帯及びズレ検出用レーザー光吸収領域も肉眼で確認することができる。しかしながら、図４、図５、図７及び図８においては、位置検出部１の構造の理解を容易にする目的で、保持棒部１２は、不透明な材質から形成されているものとして図示しており、目視可能な反対側の稜線や、反対側の側面に設けた位置決定用レーザー光吸収帯及びズレ検出用レーザー光吸収領域は図示していない。また、Ｘ線吸収体１１は、その位置の理解を容易にする目的で、点線で図示している。
【００５０】
本発明のファントムにおいて、保持盤部２は、図４に示すように、ベース盤２１、微調整手段２３、及びおもり２５を有することができる。
ベース盤２１は、放射線治療装置の治療台上に載置可能な底面を有すると共に、上面側に微調整手段２３を保持している。微調整手段２３は、位置検出部１と保持盤部２との連結接続手段としても機能し、おもり２５を備えていることができる。
【００５１】
微調整手段２３は、位置検出部１と保持盤部２との具体的な連結接続手段である微調整部ベース盤２３ｄを含み、その微調整部ベース盤２３ｄの上に、例えば、第１高さ調整部２３ａ、第２高さ調整部２３ｂ、及び第３高さ調整部２３ｃを含むことができる。
微調整手段２３は、位置検出部１の高さを微調整しながら、位置検出部１に設けられた位置決定用レーザー光吸収帯１４（１４ａ，１４ｂ，１４ｃ）と位置決定用レーザー光３５（３５ａ，３５ｂ，３５ｃ）とを一致させたい場合に使用される。微調整手段２３は、図７に示すように、回転ネジからなることができる。なお、微調整部ベース盤２３ｄには、水平方向調整手段（図示せず）を設けることもできる。
微調整が必要でない場合には、微調整手段２３を設けず、位置検出部１をベース盤２１に直接保持させることもできる。
おもり２５は、位置決定用レーザー光吸収帯１４（１４ａ，１４ｂ，１４ｃ）と位置決定用レーザー光３５（３５ａ，３５ｂ，３５ｃ）とを一致させた後に、その場所から、変位測定用ファントム１０が簡単に移動しないようにする必要がある場合に設ける。
【００５２】
次に、前記変位測定用ファントムを用いて実施する本発明の変位測定方法及び変位調整方法の代表的態様を図１１に沿って説明する。
図１１は、図１に示す放射線治療装置４を用いて、本発明の変位測定方法及び変位調整方法を実施する場合を模式的に説明する斜視図である。
【００５３】
通常、放射線治療装置４を設置している放射線治療室には、その床面に、治療台４６を回転させるための治療台回転盤５７が設けられており、この治療台回転盤５７は、回転中心５３を中心として、図１１の矢印Ａに示すように、床面から天井方向へ垂直に上方に延びる回転軸に対して両方向（時計回り又は反時計回り）に回転させることができ、任意の回転角度で静止させ、固定させることができる。
【００５４】
また、放射線治療室の治療台４６は、前記治療台回転盤５７と、治療台保持用フレーム５９によって連結されているので、治療台４６と治療台回転盤５７とを一体的に回転させることが可能となり、治療台４６は、回転中心５３を中心として、床面と平行に両方向（時計回り又は反時計回り）に回転し、任意の回転位置で静止して固定することが可能となる。治療台４６には、治療台４６を床面と平行に前記回転軸から離れる方向又は近づく方向（Ｂ方向）に移動させるための位置調整手段（図示せず）や、治療台４６を床面に対して垂直方向（Ｃ方向）に上昇又は降下させるための位置調整手段（図示せず）も備えている。
【００５５】
放射線治療室に放射線治療装置４を最初に設置する際には、その放射線治療室の床面に設けた治療台回転盤５７の回転軸５５と完全に一致する治療用Ｘ線が、ガントリー４１から照射可能になる位置に、放射線治療装置４を設置する。すなわち、放射線治療装置４のガントリー４１は、ガントリー回転手段４２によってアイソセンターを回転中心として３６０°回転させることが可能であるが、そのガントリー４１を最頂上部に位置させて床面に向かって鉛直方向に治療用Ｘ線を照射した場合に、その治療用Ｘ線が描く軌跡が、治療台回転盤５７の回転軸５５と完全に一致することになるように、放射線治療装置４を放射線治療室に設置する。あるいは、一致させずに設置することもできるが、その場合は、最頂上部に位置するガントリー４１から床面に向かって鉛直方向に照射される治療用Ｘ線の軌跡と、治療台回転盤５７の回転軸５５とのズレを正確に計測し、そのズレに基づいてアイソセンターの位置と治療台４６との位置調整を実施する必要がある。なお、前記の条件を満たすように放射線治療装置４を放射線治療室に設置した後に、繰り返して実施される運転操作や地震などの振動の影響で、放射線治療装置４と前記回転軸５５とが当初の相対位置からずれてしまうことがあるが、そのズレの検出も、前記変位測定用ファントムを用いて検出することができる。この点は後述する。
【００５６】
また、放射線治療装置４を放射線治療室に最初に設置する際には、位置決定用レーザー光の交差点（仮想アイソセンター）と、治療用Ｘ線によるアイソセンター（実際のアイソセンター）とが正確に一致するように設置する。すなわち、放射線治療室内の壁面（すなわち、天井や側壁面）には、位置決定用レーザー光の照射手段（図示せず）が設けられており、それらの照射手段から照射されるＸ軸方向位置決定用レーザー光３５ａと、Ｙ軸方向位置決定用レーザー光３５ｂと、Ｚ軸方向位置決定用レーザー光３５ｃとが交差する点を仮想アイソセンターとして用いる必要があり、この仮想アイソセンターは、治療用Ｘ線によるアイソセンター（実際のアイソセンター）と正確に一致する必要があるので、この条件を満たすように、放射線治療装置４を放射線治療室に設置する。設置当初はこの条件を満たしている場合でも、その後の運転操作や地震などの振動の影響で、仮想アイソセンターと実際のアイソセンターとがずれてしまうことがある。このようなズレは、一般に、１ｍｍ以内に抑制することが望まれている。本発明によれば、前記変位測定用ファントムを用いて前記のズレを精密に検出することができ、ズレの精密な矯正が可能になる。
【００５７】
また、診断用Ｘ線撮影装置４４を備えた放射線治療装置４では、診断用Ｘ線の線束の中心と、治療用Ｘ線の実際のアイソセンターとが正確に一致するように診断用Ｘ線撮影装置４４を取り付けている。しかしながら、繰り返される運転操作や地震などの振動の影響で、診断用Ｘ線の線束の中心と、治療用Ｘ線の実際のアイソセンターとがずれてしまうことがあるが、前記変位測定用ファントムを用いて前記のズレも精密に検出することができる。
【００５８】
前記の変位測定用ファントムを用いて、前記の各々の変位（ズレ）を検出し、必要によって変位を修正して調整する方法は、いずれも、以下の工程（１）〜（３）を含む。
（１）変位の検出工程、
（２）必要により、変位の修正工程、及び
（３）好ましくは、修正の確認工程。
なお、後述するが、変位（ズレ）を検出し、その変位を修正ないし調整せずに、変位の測定値を利用して、治療台の移動制御を行い、患者の治療患部を実際のアイソセンターと一致させることもできる。
【００５９】
実際のアイソセンターと仮想アイソセンターとの変位（ズレ）に関する検出・調整方法は、例えば、以下の工程（Ａ）〜（Ｅ）を含む。
（Ａ）変位測定用ファントム載置工程
この工程は、前記変位測定用ファントム１０を放射線治療装置の治療台４６上へ載せる工程であり、前記変位測定用ファントム１０に含まれるＸ線吸収体１１の位置が、仮想アイソセンターとほぼ一致するように載置するのが好ましい。その際、図１１に示すように、Ｘ線吸収体１１を包埋して含む保持棒部１２の自由先端部を治療台端部４７から突出させ、ガントリー４１から照射される治療用Ｘ線が、治療台４６と接触しないように配置するのが好ましい。
【００６０】
（Ｂ）仮想アイソセンターとＸ線吸収体とを一致させる工程
この工程では、治療台４６に載置された前記変位測定用ファントム１０に対して、放射線治療室内の壁面（すなわち、天井や側壁面）から位置決定用レーザー光３５を照射し、位置決定用レーザー光３５によって決定される仮想アイソセンターと、Ｘ線吸収体１１の位置とを一致させる。この際、位置決定用レーザー光３５の照射手段は移動させず、前記変位測定用ファントム１０が載置されている治療台４６を移動させるか、前記治療台４６上で変位測定用ファントム１０を移動させるか、あるいは治療台４６の移動とファントム１０の移動とを組合せて、Ｘ線吸収体１１の位置を移動させる。微調整手段２３による微調整を適宜組合せることもできる。
【００６１】
（Ｃ）仮想アイソセンターと実際のアイソセンターとの変位測定工程
この工程では、放射線治療装置のガントリー４１を回転させ、種々の方向（位置）から治療用Ｘ線をＸ線吸収体１１に対して照射して照射画像情報（例えば、Ｘ線画像又は画像信号）を取得し、仮想アイソセンターの正確な位置に配置されているＸ線吸収体１１と、実際にガントリーから照射される治療用Ｘ線によって形成される実際のアイソセンターとの変位（ズレ）を測定する。照射画像情報は、画像収集手段４８によって取得する。画像収集手段４８は、ガントリーから照射された治療用Ｘ線が、アイソセンターを通過してその延長線を進む通路上に設ける。ガントリー４１はアイソセンターを回転中心としてガントリー回転手段４２によって３６０°回転するので、画像収集手段４８も、それに伴って、アイソセンターの反対側を３６０°回転する。照射画像情報は、例えば、回転角４５°又は９０°毎に取得する。
【００６２】
（Ｄ）仮想アイソセンターの修正工程
この工程は、仮想アイソセンターと実際のアイソセンターとがずれていた場合に実施する。両者のズレは、Ｘ線照射画像情報によって正確に測定されるので、その測定結果に基づいて、いずれか一方の位置を移動させる。調整操作の容易さから、仮想アイソセンターの位置を移動するのが好ましい。仮想アイソセンターの位置は、放射線治療室内の壁面に設けた位置決定用レーザー光照射手段の照射方向を調整することによって実施することができる。
【００６３】
（Ｅ）修正の確認工程
前記工程（Ｄ）による修正を確認することが好ましい。この工程（Ｅ）は、修正後の仮想アイソセンターに対して、前記工程（Ａ）「変位測定用ファントム載置工程」、前記工程（Ｂ）「仮想アイソセンターとＸ線吸収体とを一致させる工程」、及び前記工程（Ｃ）「仮想アイソセンターと実際のアイソセンターとの変位測定工程」と同様の操作を実施し、仮想アイソセンターと実際のアイソセンターとに変位（ズレ）がないことを確認するものである。
【００６４】
前記の工程（Ａ）〜（Ｅ）を実施すると、仮想アイソセンターと実際のアイソセンターとが正確に一致するので、図３に示すように、放射線治療室内の壁面（天井及び側面）から位置決定用レーザー光３５を患者３に照射し、位置決定用レーザー光３５ａ，３５ｂ，３５ｃが皮膚マーク３１と一致するように治療台４６を移動させ、完全に一致した地点で治療台４６を固定するだけで、治療目標患部３３とアイソセンター（実際のアイソセンター）とを一致させることができる。
【００６５】
前記の工程（Ａ）及び（Ｂ）を実施して変位（ズレ）を検出した後、その変位を修正ないし調整せずに、変位の測定値を利用して、治療台の移動制御を行い、患者の治療患部を実際のアイソセンターと一致させることもできる。すなわち、図３に示すように、放射線治療室内の壁面（天井及び側面）から位置決定用レーザー光３５を患者３に照射し、位置決定用レーザー光３５ａ，３５ｂ，３５ｃが皮膚マーク３１と一致するように治療台４６を移動させ、完全に一致した地点で治療台４６を静止させ、続いて、前記の工程（Ａ）及び（Ｂ）によって得られた測定値に従って、治療台４６を移動させると、治療目標患部３３とアイソセンター（実際のアイソセンター）とを一致させることができる。なお、治療台の移動制御を行うプログラムを含む制御システムを利用する場合は、前記の工程（Ａ）及び（Ｂ）によって得られた変位の測定結果を前記プログラムに導入することにより、制御システムに従って治療台４６を移動させ、治療目標患部３３とアイソセンター（実際のアイソセンター）とを一致させることができる。
【００６６】
次に、診断用Ｘ線の線束の中心と実際のアイソセンター７１とのズレに関する検出・調整方法について説明する。この方法は、仮想アイソセンターと実際のアイソセンターとの変位測定及び場合により実施する変位調整を実施する前に、あるいはその後に実施することができる。また、仮想アイソセンターと実際のアイソセンターとの変位測定の後に実施する場合は、変位調整工程の前に実施することも、あるいはその変位調整工程の後に実施することもできる。以下に、仮想アイソセンターと実際のアイソセンターとの変位測定及び変位調整工程を行った後に実施する好ましい態様に関して説明する。
【００６７】
（イ）変位測定用ファントム載置工程
この工程は、前記変位測定用ファントム１０を放射線治療装置の治療台４６上へ載せる工程であり、前記変位測定用ファントム１０に含まれるＸ線吸収体１１の位置が、仮想アイソセンターとほぼ一致するように載置するのが好ましい。その際、図１１に示すように、Ｘ線吸収体１１を包埋して含む保持棒部１２の自由先端部を治療台端部４７から突出させ、診断用Ｘ線照射部４４ａから照射される診断用Ｘ線が、治療台４６と接触しないように配置するのが好ましい。
【００６８】
（ロ）仮想アイソセンターとＸ線吸収体とを一致させる工程
この工程では、治療台４６に載置された前記変位測定用ファントム１０に対して、放射線治療室内の壁面（すなわち、天井や側壁面）から位置決定用レーザー光３５を照射し、位置決定用レーザー光３５によって決定される仮想アイソセンターと、Ｘ線吸収体１１の位置とを一致させる。この際、位置決定用レーザー光３５の照射手段は移動させず、前記変位測定用ファントム１０が載置されている治療台４６を移動させるか、前記治療台４６上で変位測定用ファントム１０を移動させるか、あるいは治療台４６の移動とファントム１０の移動とを組合せて、Ｘ線吸収体１１の位置を移動させる。微調整手段２３による微調整を適宜組合せることもできる。予め、仮想アイソセンターを実際のアイソセンターと正確に一致させておけば、この工程によって、Ｘ線吸収体１１と実際のアイソセンターとが正確に一致することになる。
【００６９】
（ハ）診断用Ｘ線撮影工程
この工程では、放射線治療装置の診断用Ｘ線撮影装置４４をアイソセンターを中心に回転させ、種々の方向（位置）から診断用Ｘ線をＸ線吸収体１１に対して照射して照射画像情報（例えば、Ｘ線画像又は画像信号）を取得し、実際のアイソセンター（＝仮想アイソセンター）の位置に正確に配置されているＸ線吸収体１１と、診断用Ｘ線照射部４４ａから照射される診断用Ｘ線の線束の中心との変位（ズレ）を測定する。照射画像情報は、診断用Ｘ線検出部４４ｂによって取得する。診断用Ｘ線検出部４４ｂは、診断用Ｘ線照射部４４ａから照射された診断用Ｘ線が、アイソセンターを通過してその延長線を進む通路上に設ける。診断用Ｘ線撮影装置４４を構成する診断用Ｘ線照射部４４ａと診断用Ｘ線検出部４４ｂとは、回転中心であるアイソセンターを挟んで反対側に配置され、診断用Ｘ線撮影装置４４は、アイソセンターを回転中心としてガントリー回転手段４２によって３６０°回転するので、診断用Ｘ線照射部４４ａと診断用Ｘ線検出部４４ｂとは、それぞれアイソセンターの反対側を３６０°回転する。照射画像情報は、例えば、回転角４５°又は９０°毎に取得する。
（ニ）診断用Ｘ線撮影装置の修正工程
この工程は、診断用Ｘ線撮影装置による診断用Ｘ線の線束の中心と実際のアイソセンター（＝仮想アイソセンター）とがずれていた場合に実施する。両者のズレは、照射画像情報によって正確に測定されるので、その測定結果に基づいて、診断用Ｘ線撮影装置の位置を移動させる。
【００７０】
（ホ）修正の確認工程
前記工程（ニ）による修正を確認することが好ましい。この工程（ホ）は、修正後の診断用Ｘ線撮影装置に対して、前記工程（イ）「変位測定用ファントム載置工程」、前記工程（ロ）「仮想アイソセンターとＸ線吸収体とを一致させる工程」、及び前記工程（ハ）「診断用Ｘ線撮影工程」と同様の操作を実施し、診断用Ｘ線撮影装置による診断用Ｘ線の線束の中心と実際のアイソセンター（＝仮想アイソセンター）とに変位（ズレ）がないことを確認するものである。
【００７１】
仮想アイソセンターと実際のアイソセンターとを一致させた後に、前記の工程（イ）〜（ホ）を実施すると、診断用Ｘ線の線束の中心と実際のアイソセンターとが正確に一致するので、図３に示すように、位置決定用レーザー光３５を患者３に照射し、位置決定用レーザー光３５ａ，３５ｂ，３５ｃが皮膚マーク３１と一致するように治療台４６を移動させ、完全に一致した地点で治療台４６を固定するだけで、治療目標患部３３とアイソセンター（実際のアイソセンター）とを一致させることができる。
【００７２】
放射線治療室の壁面に設けられた位置決定用レーザー光照射手段は、位置調整操作が比較的用意であるが、放射線治療装置４の位置調整は一般的に極めて困難であり、放射線治療装置４には、診断用Ｘ線撮影装置４４の位置調整手段が備えられていない場合も多い。このような場合は、実際のアイソセンターと仮想アイソセンターと診断用Ｘ線の線束の中心とに変位が確認された場合でも、３つの点を完全に一致させることは実質的に困難であるが、仮想アイソセンターの位置を調整して、３つの点の誤差が１ｍｍ以内の範囲に収まるようにすることが好ましい。また、３つの点の誤差を１ｍｍ以内の範囲に収めることが困難な場合は、放射線治療装置４の位置調整か、診断用Ｘ線撮影装置４４の位置調整を実施することが好ましい。
【００７３】
前記の工程（イ）及び（ロ）を実施して変位（ズレ）を検出した後、その変位を修正ないし調整せずに、変位の測定値を利用して、治療台の移動制御を行い、患者の治療患部を実際のアイソセンターと一致させることもできる。すなわち、図３に示すように、放射線治療室内の壁面（天井及び側面）から位置決定用レーザー光３５を患者３に照射し、位置決定用レーザー光３５ａ，３５ｂ，３５ｃが皮膚マーク３１と一致するように治療台４６を移動させ、完全に一致した地点で治療台４６を静止させ、続いて、前記の工程（イ）及び（ロ）によって得られた測定値に従って、治療台４６を移動させると、治療目標患部３３とアイソセンター（実際のアイソセンター）とを一致させることができる。なお、治療台の移動制御を行うプログラムを含む制御システムを利用する場合は、前記の工程（イ）及び（ロ）によって得られた変位の測定結果を前記プログラムに導入することにより、制御システムに従って治療台４６を移動させ、治療目標患部３３とアイソセンター（実際のアイソセンター）とを一致させることができる。
【００７４】
続いて、治療台回転盤５７の回転軸５５と、治療用Ｘ線との変位（ズレ）を検出し、修正・調整する方法を説明する。
この方法は、例えば、以下の工程（ａ）〜（ｅ）を含む。
【００７５】
（ａ）変位測定用ファントム載置工程
この工程は、前記変位測定用ファントム１０を放射線治療装置の治療台４６上へ載せる工程であり、前記変位測定用ファントム１０に含まれるＸ線吸収体１１の位置が、仮想アイソセンターとほぼ一致するように載置するのが好ましい。その際、図１１に示すように、Ｘ線吸収体１１を包埋して含む保持棒部１２の自由先端部を治療台端部４７から突出させ、ガントリー４１から照射される治療用Ｘ線が、治療台４６と接触しないように配置するのが好ましい。
【００７６】
（ｂ）仮想アイソセンターとＸ線吸収体とを一致させる工程
この工程では、治療台４６に載置された前記変位測定用ファントム１０に対して、放射線治療室内の壁面（すなわち、天井や側壁面）から位置決定用レーザー光３５を照射し、位置決定用レーザー光３５によって決定される仮想アイソセンターと、Ｘ線吸収体１１の位置とを一致させる。この際、位置決定用レーザー光３５の照射手段は移動させず、前記変位測定用ファントム１０が載置されている治療台４６を移動させるか、前記治療台４６上で変位測定用ファントム１０を移動させるか、あるいは治療台４６の移動とファントム１０の移動とを組合せて、Ｘ線吸収体１１の位置を移動させる。微調整手段２３による微調整を適宜組合せることもできる。
【００７７】
（ｃ）回転軸と治療用Ｘ線との変位測定工程
この工程では、ガントリー４１を最頂上部に位置させた状態で、放射線治療室の治療台４６を回転させて、最頂上部に位置させたガントリーから治療用Ｘ線をＸ線吸収体１１に対して照射して照射画像情報（例えば、Ｘ線画像又は画像信号）を取得し、治療台回転盤５７の回転軸５５と、実際にガントリーから照射される治療用Ｘ線との変位（ズレ）を測定する。照射画像情報は、画像収集手段４８によって取得する。画像収集手段４８は、ガントリーから照射された治療用Ｘ線が、アイソセンターを通過してその延長線を進む通路上に設ける。治療台４６は回転軸５５を回転中心として１８０°回転する。照射画像情報は、例えば、回転角４５°毎に取得する。
【００７８】
（ｄ）回転軸の修正工程
この工程は、治療台回転盤５７の回転軸５５と治療用Ｘ線とがずれていた場合に実施する。両者のズレは、Ｘ線照射画像情報によって正確に測定されるので、その測定結果に基づいて、回転軸５５又は治療用Ｘ線（アイソセンター）のいずれか一方の位置を移動させる。
【００７９】
（ｅ）修正の確認工程
前記工程（ｄ）による修正を確認することが好ましい。この工程（ｅ）は、修正後の回転軸に対して、前記工程（ａ）「変位測定用ファントム載置工程」、前記工程（ｂ）「仮想アイソセンターとＸ線吸収体とを一致させる工程」、及び前記工程（ｃ）「回転軸と治療用Ｘ線との変位測定工程」と同様の操作を実施し、回転軸と治療用Ｘ線とに変位（ズレ）がないことを確認するものである。
【産業上の利用可能性】
【００８０】
本発明による測定方法、調整方法、及び変位測定用ファントムは、放射線治療装置において、治療用Ｘ線の実際のアイソセンターと、位置決定用レーザー光による仮想アイソセンターと、診断用Ｘ線撮影装置から照射される診断用Ｘ線の中心位置との変位（ズレ）を測定して、その変位を調整するために利用することができる。
【符号の説明】
【００８１】
１・・・位置検出部；２・・・保持盤部；３・・・患者；４・・・放射線治療装置；
１０・・・変位測定用ファントム；１１・・・Ｘ線吸収体；１２・・・保持棒部；
１４・・・位置決定用レーザー光吸収帯；
１４ａ・・・Ｘ軸方向位置決定用レーザー光吸収帯；
１４ｂ・・・Ｙ軸方向位置決定用レーザー光吸収帯；
１４ｃ・・・Ｚ軸方向位置決定用レーザー光吸収帯；
１６・・・ズレ検出用レーザー光吸収領域；
１６ａ・・・Ｘ軸方向ズレ検出用レーザー光吸収領域；
１６ｂ・・・Ｙ軸方向ズレ検出用レーザー光吸収領域；
１６ｃ・・・Ｚ軸方向ズレ検出用レーザー光吸収領域；
２１・・・ベース盤；２３・・・微調整手段；２３ａ・・・第１高さ調整部；
２３ｂ・・・第２高さ調整部；２３ｃ・・・第３高さ調整部；
２３ｄ・・・微調整部ベース盤；２５・・・おもり；
３１・・・皮膚マーク；３１ａ・・・Ｘ軸方向皮膚マーク；
３１ｂ・・・Ｙ軸方向皮膚マーク；３１ｃ・・・Ｚ軸方向皮膚マーク；
３３・・・治療目標患部；３５・・・位置決定用レーザー光；
３５ａ・・・Ｘ軸方向位置決定用レーザー光；
３５ｂ・・・Ｙ軸方向位置決定用レーザー光；
３５ｃ・・・Ｚ軸方向位置決定用レーザー光；
３７・・・アイソセンター；３８・・・患者頭部固定用枕；４１・・・ガントリー；
４１ａ・・・治療用Ｘ線照射部；４２・・・ガントリー回転手段；
４４・・・診断用Ｘ線撮影装置；４４ａ・・・診断用Ｘ線照射部；
４４ｂ・・・診断用Ｘ線検出部；４６・・・治療台；４７・・・治療台端部；
４８・・・画像収集手段；５３・・・回転中心；５５・・・回転軸；
５７・・・治療台回転盤；５９・・・治療台保持用フレーム；
７１・・・実際のアイソセンター。
【図１】
2013046709.tif 000003
【図２】
2013046709.tif 000004
【図３】
2013046709.tif 000005
【図４】
2013046709.tif 000006
【図５】
2013046709.tif 000007
【図６】
2013046709.tif 000008
【図７】
2013046709.tif 000009
【図８】
2013046709.tif 000010
【図９】
2013046709.tif 000011
【図１０】
2013046709.tif 000012
【図１１】
2013046709.tif 000013